(57)【要約】【課題】  簡易な構成で、プリペイドカードと非接触ＩＣカードとの２種類のカードの処理を可能としたプリペイドカード及び非接触ＩＣカード兼用のカードリーダを提供すること。【解決手段】  プリペイドカード３１の磁気情報の再生等を行う磁気再生記録手段２と、非接触ＩＣカード３２との間で情報の送受信を行うリーダ側送受信手段５とを備えたプリペイドカード及び非接触ＩＣカード兼用のカードリーダ１であって、カード挿入口１０と、プリペイドカード３１のみを搬送するためのカード搬送路１１及びカード搬送手段６とを備える。カード搬送手段６でプリペイドカード３１を搬送させながら磁気情報の再生等を行い、リーダ側送受信手段５に対して非接触ＩＣカード３２を所定の位置に停止させた状態で情報の送受信を行う。【選択図】      図２
2005196375.tif 000002
【特許請求の範囲】
【請求項１】
プリペイドカードの磁気情報を再生し、あるいは前記プリペイドカードに磁気情報を記録する磁気再生記録手段と、非接触ＩＣカードとの間で情報の送受信を行うリーダ側送受信手段とを備えたプリペイドカード及び非接触ＩＣカード兼用のカードリーダであって、
カード挿入口と、前記プリペイドカードと非接触ＩＣカードとのうちで、前記プリペイドカードのみを搬送するためのカード搬送路及びカード搬送手段とを備え、
前記磁気再生記録手段による前記プリペイドカードの磁気情報の再生記録は、前記カード搬送手段で前記プリペイドカードを搬送させながら行い、
前記リーダ側送受信手段と前記非接触ＩＣカードとの間の情報の送受信は、前記リーダ側送受信手段に対して前記非接触ＩＣカードを所定の位置に停止させた状態で行うことを特徴とするカードリーダ。
【請求項２】
前記カード挿入口とカード搬送路との間にカード挿入部を備え、前記磁気再生記録手段は前記カード搬送路に配置されるとともに、前記リーダ側送受信手段は前記カード挿入部に配置され、
前記カード挿入部と前記カード搬送路との間には、該カード搬送路へ向かって、前記プリペイドカードは通過できるが、前記非接触ＩＣカードは通過できない段部が形成されていることを特徴とする請求項１記載のカードリーダ。
【請求項３】
前記段部には、前記プリペイドカードを前記カード搬送路へ案内するとともに前記非接触ＩＣカードの端部が当接する傾斜面が形成されていることを特徴とする請求項２記載のカードリーダ。
【請求項４】
前記段部は、前記カード挿入部とカード搬送路との間において、カードの幅方向の一部分でカードの厚み方向に凸設された突出部と、前記カード挿入部の内壁面とにより形成されていることを特徴とする請求項２または３記載のカードリーダ。
【請求項５】
前記非接触ＩＣカードを前記カード挿入口に挿入させた状態で、該非接触ＩＣカードとの情報の送受信を行うことを特徴とする請求項１から４いずれかに記載のカードリーダ。
【請求項６】
前記非接触ＩＣカードを前記カードリーダの表面に接触または近接させた状態で、該非接触ＩＣカードとの情報の送受信を行うことを特徴とする請求項１または２記載のカードリーダ。
【発明の詳細な説明】
【技術分野】
【０００１】
本発明は、プリペイドカード及び非接触ＩＣカードの両カードの処理を行うプリペイドカード及び非接触ＩＣカード兼用のカードリーダに関する。
【０００２】
ここで、本明細書において、プリペイドカードとは、厚さが０．１８〜０．３６ｍｍで磁気情報によるプリペイド機能を備えるＰＥＴカードをいう。例えば、ＪＩＳＸ６３１０に規定されるカードであって、その物理的特性、形状及び寸法がＪＩＳＸ６３１１に規定されるカードをいうが、このＪＩＳ規格に規定するカードには限定されない。一方、非接触ＩＣカードとは、ＪＩＳＸ６３０１でその形状及び寸法が規定される識別カードであって、情報送受信用のアンテナ部を備えるカードをいう。また、磁気カードとは、ＪＩＳＸ６３０１に規定される識別カードであって、その表面に磁気ストライプを備えるカードをいう。
【背景技術】
【０００３】
従来より、幅や厚さの異なる２種類の媒体を装置内部に取り込み、各媒体に対する情報再生等の所定の処理を可能にしたカードリーダが用いられている。この種のカードリーダとしては、磁気カード、プリペイドカードといった幅と厚さが異なる２種類のカードを装置内部に取り込んだ後、これらのカードを搬送して、カード上の磁気情報を再生しあるいはカード上に磁気情報を記録するカードリーダが知られている（例えば特許文献１参照）。また、磁気カード、紙幣といった幅と厚さが異なる２種類の媒体を装置内部に取り込んだ後、これらを搬送して、各媒体の持つ情報を読み取る複合型のカードリーダが知られている（例えば特許文献２参照）。
【０００４】
特許文献１に開示されたカードリーダでは、カード挿入口及びカード搬送路に、カードの幅方向に２段の段差が形成され、その段差がカードの挿入方向に延在している。そして、厚みのある磁気カードが挿入されると、磁気カードは、その長辺が段差部分に接触した状態でカード搬送手段を構成する搬送ローラ等により装置内部に取り込まれ、磁気情報の再生等の処理が行われる。一方、厚さが薄いプリペイドカードが挿入されると、プリペイドカードは、その長辺が段差部分には接触せず、カード挿入口及びカード搬送路の内壁で案内されながら搬送ローラ等により装置内部に取り込まれ、磁気情報の再生等の処理が行われる。
【０００５】
特許文献２に開示された複合型のカードリーダでは、カード挿入口に段差が形成されており、磁気カードは、その長辺が段差部分に接触した状態で挿入され、カード搬送手段を構成する搬送ローラ等により装置内部に取り込まれて、その情報の読み取り等の処理が行われる。一方、紙幣は段差部分には接触せずに挿入され、搬送ローラ等により装置内部に取り込まれて、その情報の読み取り等の処理が行われる。
【特許文献１】特開平３−２６６３６号公報
【特許文献２】実開昭６２−３７３６３号公報
【発明の開示】
【発明が解決しようとする課題】
【０００６】
近年、貨幣と同様の価値を有するプリペイドカードの偽造が社会問題となっている。そのため、偽造が困難なＩＣカード、特に取り扱いが容易な非接触式ＩＣカードにプリペイド機能を持たせて、プリペイドカードの代わりに使用しようとする動きがでてきている。一方で、非接触式ＩＣカードはプリペイドカードに比べてカード単価が非常に高いため、なかなか普及し難いという問題を抱えている。従って、同じ役割を持たせたプリペイドカードと非接触ＩＣカードとが並存することが予想され、市場では、プリペイドカードと非接触ＩＣカードといった幅と厚さが異なる２種類のカードの処理を可能としたカードリーダが要求されている。
【０００７】
ここで、上述した従来の構成を用いてプリペイドカードと非接触ＩＣカードといった２種類のカードの処理を可能としたカードリーダを実現することも可能である。しかしながら、上述の従来の構成では、カードを装置内部に取り込んだ後、カードを搬送してカードに所定の処理を行うという構成を採用していることから、以下の問題を生じる。
【０００８】
すなわち、磁気カードやプリペイドカード等の磁気情報の再生記録は、カードを搬送させながら磁気ヘッドを用いて行われるが、非接触ＩＣカードの情報の送受信は、カードリーダ側に設けられた情報送受信用のリーダ側送受信アンテナ部に対して非接触ＩＣカードを所定の精度で停止させた状態で行われる。そのため、上述のようにカードを搬送させて処理する構成を採用した場合には、非接触ＩＣカードを所定の精度で停止させるための手段が必要になる。例えば、非接触ＩＣカードを検出する検出手段や、所定速度で搬送されている非接触ＩＣカードを減速させるための減速手段等が必要となる。そのため、装置が大型化し、装置が高価となるという問題を生じる。
【０００９】
そこで、本発明の課題は、簡易な構成で、プリペイドカードと非接触ＩＣカードとの２種類のカードの処理を可能としたプリペイドカード及び非接触ＩＣカード兼用のカードリーダを提供することにある。
【課題を解決するための手段】
【００１０】
上記の課題を解決するために、本発明では、プリペイドカードの磁気情報を再生し、あるいは前記プリペイドカードに磁気情報を記録する磁気再生記録手段と、非接触ＩＣカードとの間で情報の送受信を行うリーダ側送受信手段とを備えたプリペイドカード及び非接触ＩＣカード兼用のカードリーダであって、カード挿入口と、前記プリペイドカードと非接触ＩＣカードとのうちで、前記プリペイドカードのみを搬送するためのカード搬送路と及びカード搬送手段をと備え、前記磁気再生記録手段による前記プリペイドカードの磁気情報の再生記録は、前記カード搬送手段で前記プリペイドカードを搬送させながら行い、前記リーダ側送受信手段と前記非接触ＩＣカードとの間の情報の送受信は、前記リーダ側送受信手段に対して前記非接触ＩＣカードを所定の位置に停止させた状態で行うことを特徴とする。
【００１１】
本発明においては、前記カード挿入口とカード搬送路との間にカード挿入部を備え、前記磁気再生記録手段は前記カード搬送路に配置されるとともに、前記リーダ側送受信手段は前記カード挿入部に配置され、前記カード挿入部と前記カード搬送路との間には、該カード搬送路へ向かって、前記プリペイドカードは通過できるが、前記非接触ＩＣカードは通過できない段部が形成されていることが好ましい。
【００１２】
このように、カード挿入部とカード搬送路との間にカード搬送路へ向かって非接触ＩＣカードは通過できない段部が形成されている場合には、カード挿入口からユーザにより挿入された非接触ＩＣカードを、段部に当接させてカード挿入部で停止させ、その状態で情報の送受信を行うことができる。すなわち、非接触ＩＣカードをカード搬送手段で搬送させることなく、情報の送受信を行うことができる。そのため、検出手段や、減速手段等といった非接触ＩＣカードを所定の精度で停止させるための手段が不要になる。一方、プリペイドカードは、カード搬送路に向かって段部を通過できるため、カードを搬送させながらカード搬送路に配置された磁気再生記録手段により磁気情報の再生記録を行うことができる。
【００１３】
本発明において、前記段部には、前記プリペイドカードを前記カード搬送路へ案内するとともに前記非接触ＩＣカードの端部が当接する傾斜面が形成されていることが好ましい。このように構成することで、非接触ＩＣカードを傾斜面で停止させることができ、また、傾斜面によりプリペイドカードをカード搬送路へ確実に案内することができる。
【００１４】
本発明において、前記段部は、前記カード挿入部とカード搬送路との間において、カードの幅方向の一部分でカードの厚み方向に凸設された突出部と、前記カード挿入部の内壁面とにより形成されていることが好ましい。段部は、例えば、カード挿入部の上壁面、下壁面といったカード挿入部の内壁面と、カード搬送路の上壁面、下壁面といった内壁面とにより形成することもできる。この場合、カード搬送路の上壁面と下壁面との間隙、すなわちカード厚さ方向の間隙は、プリペイドカードは通過できるが、非接触ＩＣカードは通過できない寸法に規制されることになる。そのため、カード搬送路におけるプリペイドカードの搬送が上壁部と下壁部で規制され、プリペイドカードの搬送負荷が大きくなる可能性がある。しかし、本発明においては、カード挿入部とカード搬送路との間でカードの厚み方向に凸設された突出部とカード挿入部の内壁面とから段部が形成されているため、カード搬送路におけるカード厚さ方向の間隙を大きくとることも可能になる。そのため、カードの搬送負荷の軽減を図ることが可能になる。特に突出部は、カード幅方向の一部に形成されていることから、カード幅方向の全部で形成されている場合に比べ、更にプリペイドカードの搬送負荷を低減することができる。
【００１５】
本発明におけるカードリーダでは、前記非接触ＩＣカードを前記カード挿入口に挿入させた状態で、該非接触ＩＣカードとの情報の送受信を行うことができる。
【００１６】
また、本発明におけるカードリーダでは、前記非接触ＩＣカードを前記カードリーダの表面に接触または近接させた状態で、該非接触ＩＣカードとの情報の送受信を行うこともできる。すなわち、非接触ＩＣカードをカードリーダの表面に接触または近接させた状態で通信可能な位置にリーダ側送受信手段を配置することで、非接触ＩＣカードをカード挿入口に挿入させなくても非接触ＩＣカードとの通信を行うことが可能となる。
【発明の効果】
【００１７】
本発明のカードリーダでは、プリペイドカードと非接触ＩＣカードとのうちで、プリペイドカードのみを搬送するためのカード搬送路及びカード搬送手段とを備え、このカード搬送手段でプリペイドカードを搬送させながら、磁気再生記録手段により磁気情報の再生記録を行っている。また、リーダ側送受信手段に対して非接触ＩＣカードを所定の位置に停止させた状態で情報の通信を行っている。そのため、カード搬送手段により非接触ＩＣカードが搬送されることはない。従って、非接触ＩＣカードを所定の精度で停止させるための手段が不要となり、簡易な構成で、プリペイドカードと非接触ＩＣカードとの２種類のカードの処理を可能としたプリペイドカード及び非接触ＩＣカード兼用のカードリーダを実現することができる。
【発明を実施するための最良の形態】
【００１８】
以下、本発明を実施するための最良の形態を図面に基づいて説明する。
【００１９】
図１は、本発明の実施の形態に係るカードリーダの概略構成を示す平面図である。図２は、図１に示すカードリーダのカード挿入部及びカード搬送路を示す側面断面図である。図３は、図１に示すカードリーダを挿入口側からみた正面図である。
【００２０】
（カードリーダの構成）
本形態にかかるカードリーダ１は、プリペイドカード３１と非接触ＩＣカード３２との２種類のカードの処理を行うものであり、プリペイドカード３１及び非接触ＩＣカード３２を装置内部に挿入するためのカード挿入口１０と、装置内部でプリペイドカード３１が搬送されるカード搬送路１１とを備えるとともに、カード挿入口１０とカード搬送路１１との間にはカード挿入部１２を備えている。また、カード搬送路１１には、プリペイドカード３１の磁気情報を再生し、あるいはプリペイドカード３１に磁気情報を記録する磁気再生記録手段２が配置され、カード挿入部１２には、非接触ＩＣカード３２との間で情報の送受信を行うリーダ側送受信手段としてのリーダ側送受信アンテナ部５が配置されている。さらに、カード挿入部１２とカード搬送路１１との間には、カード搬送路１１へ向かって、プリペイドカード３１は通過できるが、非接触ＩＣカード３２は通過できない段部１３が形成されている。尚、本形態におけるプリペイドカード３１は、例えば、ＪＩＳＸ６３１０に規定されるカードであって、その物理的特性、形状及び寸法がＪＩＳＸ６３１１に規定されるカードである。
【００２１】
カード挿入口１０は、図３に示すように、非接触ＩＣカード３２を挿入するための第１カード挿入口部１０ａと、この第１カード挿入口部１０ａとともにプリペイドカード３１を挿入するための第２カード挿入口部１０ｂとを備えている。
【００２２】
第１カード挿入口部１０ａは、図３における上側の上辺部１０ａ１と、下側の下辺部１０ａ２と、右側の側辺部１０ａ３と、非接触ＩＣカード３２の幅方向の動きを規制する左側の規制辺部１０ａ４，１０ａ４とから形成されている。上辺部１０ａ１と下辺部１０ａ２とから規定される高さＨ１及び側辺部１０ａ３と規制辺部１０ａ４とから規定される幅Ｗ１はそれぞれ、非接触ＩＣカード３２が挿入できるように、非接触ＩＣカード３２の厚さ及び幅よりも大きく形成されている。本形態においては、例えば、高さＨ１は１ｍｍに形成され、幅Ｗ１は５５ｍｍに形成されている。尚、本形態では、幅Ｗ１は、プリペイドカード３１が挿入できないようにプリペイドカード３１の幅よりも小さくなっている。
【００２３】
第２カード挿入口部１０ｂは、図３における上側の上辺部１０ｂ１と、下側の下辺部１０ｂ２と、左側の側辺部１０ｂ３とから形成されている。上辺部１０ｂ１と下辺部１０ｂ２とから規定される高さＨ２は、プリペイドカード３１は挿入できるが非接触ＩＣカード３２は挿入できないように、プリペイドカード３１の厚さよりも大きくかつ非接触ＩＣカード３２の厚さよりも小さく形成されている。また、側辺部１０ｂ３と第１カード挿入口１０ａの側辺部１０ａ３とから規定される幅Ｗ２は、プリペイドカード３１が挿入できるように、プリペイドカード３１の幅よりも大きく形成されている。本形態においては、例えば、高さＨ２は０．５ｍｍに形成され、幅Ｗ２は５８ｍｍに形成されている。
【００２４】
以上のように形成されたカード挿入口１０においては、上辺部１０ａ１と下辺部１０ａ２とにより非接触ＩＣカード３２の厚さ方向の動きが規制されるとともに、側辺部１０ａ３と規制辺部１０ａ４とにより非接触ＩＣカード３２の幅方向の動きが規制されて、非接触ＩＣカード３２がカード挿入部１２へ適切に案内されるようになっている。また、上辺部１０ｂ１と下辺部１０ｂ２とによりプリペイドカード３１の厚さ方向の動きが規制されるとともに、側辺部１０ａ３と側辺部１０ｂ３とによりプリペイドカード３１の幅方向の動きが規制されて、後述の突出部１４における規制と相俟ってプリペイドカード３１がカード搬送路１１へ適切に案内されるようになっている。
【００２５】
カード挿入部１２には、カードの挿入方向と平行に延在する上壁面１２ａと下壁面１２ｂと左右の側壁面１２ｃ，１２ｄとが形成されている。また、第１カード挿入口部１０ａの規制辺部１０ａ４からカードの挿入方向と平行に延在する規制壁面１２ｅが形成されている。尚、カード挿入部１２のカード挿入方向の寸法は、プリペイドカード３１及び非接触ＩＣカード３２の長手方向寸法よりも小さくなるように構成されている。より具体的には、後述のように非接触ＩＣカード３２が段部１３に当接した状態で、ユーザが非接触ＩＣカード３２の端部を容易に掴むことができるようにカード挿入部１２のカード挿入方向の寸法が設定されている。
【００２６】
規制壁面１２ｅは、カード挿入部１２の挿入方向の略中央部まで形成されている。従って、カード挿入口１０から規制面１２ｅが形成されるカード挿入部１２の挿入方向の略中央部までの上壁面１２ａには、上辺部１０ａ１がカードの挿入方向に延在する壁面と上辺部１０ｂ１がカードの挿入方向に延在する壁面とにより段差が形成され、その奥側は幅Ｗ２の平面状に形成されている。下壁面１２ｂも上壁面１２ａと同様に形成されている。また、規制壁面１２ｅが形成される側の側壁面１２ｄは、カード挿入口１０から規制面１２ｅが形成されるカード挿入部１２の挿入方向の略中央部までは高さＨ２で形成され、その奥側は高さＨ１で形成されている。もう一方の側壁面１２ｃは、側辺部１０ａ３がカードの挿入方向に延在して高さＨ１で形成されている。
【００２７】
リーダ側送受信アンテナ部５は、上壁面１２ａの上側でカード挿入部１２に配置されている。本形態では、後述のように非接触ＩＣカード３２が段部１３に当接した状態で、非接触ＩＣカード３２との通信が可能となるように配置されている。尚、カード挿入部１２には図示を省略するカード検出センサが設けられている。このカード検出センサは、非接触ＩＣカード３２がリーダ側送受信アンテナ部５と通信可能であるかを検出し、この検出信号に基づいて非接触ＩＣカード３２がリーダ側送受信アンテナ部５との情報に送受信が可能となるように構成されている。
【００２８】
カード搬送路１１は、プリペイドカード３１と非接触ＩＣカード３２のうちでプリペイドカード３１のみを搬送するためのものである。カード搬送路１１には、プリペイドカード３１の磁気ストライプに記録された磁気情報の再生等を行う磁気ヘッド３と、プリペイドカード３１の磁気バーコードに記録された磁気情報の再生等を行う磁気バーコードヘッド４とから構成される磁気再生記録手段２が配置されている。また、プリペイドカード３１を搬送するカード搬送手段６とプリペイドカード３１に例えば使用度数を表すために穿孔するパンチ手段１６等が配置されている。
【００２９】
カード搬送路１１には、カードの挿入方向と平行に延在する上壁面１１ａと下壁面１１ｂと左右の側壁面１１ｃ，１１ｄとが形成されている。本形態では、上壁面１１ａと下壁面１１ｂとは幅Ｗ２で平面状に形成されている。また、左右の側壁面１１ｃ，１１ｄとは高さＨ１で形成されている。
【００３０】
カード搬送手段６は、搬送ローラ７とパッドローラ８とから構成されている。本形態では搬送ローラ７とパッドローラ８とが２組設けられている（図１参照）。搬送ローラ７とパッドローラ８とは所定の間隙を介して、または接触した状態でカードの厚さ方向で対向して配置されている。本形態においては、カード搬送手段６はプリペイドカード３１の適切な搬送を可能とするため、搬送ローラ７とパッドローラ８との間隙は、プリペイドカード３１の厚さに対応するように設定されている。尚、パッドローラ８は図示を省略するバネ等の付勢手段により、カード搬送路１１側へ付勢されている。
【００３１】
カード挿入部１２とカード搬送路１１との間には、カードの幅方向の一部分でカードの厚み方向に上下で凸設された突出部１４，１４と、カード挿入部１２の内壁面を構成する上壁面１２ａあるいは下壁面１２ｂとにより形成される段部１３が設けられている。また、突出部１４のカード挿入口１０側に傾斜面１４ａが形成されている。言い換えると、段部１３には、プリペイドカード３１をカード搬送路１１へ案内するとともに非接触ＩＣカード３２の端部が当接する傾斜面１４ａが形成されている。尚、突出部１４を、上壁面１２ａ側あるいは下壁面１２ｂ側のいずれか一方に設けて、段部１３を形成してもよい。
【００３２】
突出部１４は例えば、カード挿入部１２とカード搬送路１１との間でカードの幅方向の中央位置に、カード幅の１０分の１程度に形成されている。また、突出部１４，１４の間隙は、第２カード挿入口部１０ｂの高さと同様に、プリペイドカード３１は通過できるが非接触ＩＣカード３２は通過できないように、プリペイドカード３１の厚さよりも大きくかつ非接触ＩＣカード３２の厚さよりも小さく形成されている。本形態では、第２カード挿入口部１０ｂにおける上辺部１０ｂ１と下辺部１０ｂ２とから規定される高さＨ２と同じ高さで形成されている。尚、突出部１４のカードの幅方向の寸法は、プリペイドカード３１の搬送負荷を考慮すると、非接触ＩＣカード３２を確実に停止させることのできる範囲で可能な限り小さく設定することが好ましい。
【００３３】
傾斜面１４ａは、突出部１４の上面と上壁面１２ａあるいは下壁面１２ｂとを滑らかに結ぶように例えば、１０度から３０度の角度で形成されている。突出部１４でプリペイドカード３１の厚さ方向の動きが規制されるとともに、傾斜面１４ａに沿ってプリペイドカード３１の先端が案内されることで、カード挿入口１０に形成された上辺部１０ｂ１と下辺部１０ｂ２等と相俟ってプリペイドカード３１がカード搬送路１１へ適切に案内されるようになっている。尚、図２に示されるように、突出部１４のカード搬送路１１側にも、傾斜面１４ａと同様の傾斜面が設けられている。この傾斜面は、カード搬送路１１からプリペイドカード３１を排出する際に、プリペイドカード３１をカード挿入部１２へ案内する案内面として機能するようになっている。
【００３４】
（カードの処理動作）
以上のように構成されたカードリーダ１におけるプリペイドカード３１と非接触ＩＣカード３２との処理動作を図４、図５を用いて説明する。図４は、非接触ＩＣカードの処理動作を説明する説明図である。図５はプリペイドカードの処理動作を説明する説明図である。
【００３５】
まず、図４を用いて非接触ＩＣカード３２の処理動作を説明する。非接触ＩＣカード３２は、ユーザによって、上辺部１０ａ１と下辺部１０ａ２とにより厚さ方向の動きが規制されかつ、側辺部１０ａ３と規制辺部１０ａ４とによりの幅方向の動きが規制されつつカード挿入口１０から挿入される。その後、カード挿入部１２の上壁面１２ａ、下壁面１２ｂ、側壁面１２ｃ及び規制壁面１２ｅに沿って装置内部へ挿入されていく。
【００３６】
非接触ＩＣカード３２の先端が段部１３の位置まで来るとその先端が傾斜面１４ａに当接するため、非接触ＩＣカード３２はこれ以上カードリーダ１の装置内部に挿入されなくなる。非接触ＩＣカード３２の先端が傾斜面１４ａに当接して停止すると、カード挿入口１２に設けられたカード検出センサからの検出信号に基づいて非接触ＩＣカード３２とリーダ側送受信アンテナ部５との間で情報の送受信が行われる。情報の送受信が終わった非接触ＩＣカード３２は、ユーザによりカード挿入口１０から引き抜かれる。
【００３７】
次に、図５を用いてプリペイドカード３１の処理動作を説明する。プリペイドカード３１は、ユーザによって、上辺部１０ｂ１と下辺部１０ｂ２とにより厚さ方向の動きが規制されかつ、側辺部１０ａ３と側辺部１０ｂ３とによりの幅方向の動きが規制されつつカード挿入口１０から挿入される。その後、カード挿入部１２の上壁面１２ａ、下壁面１２ｂ及び側壁面１２ｃ，１２ｄに沿って装置内部へ挿入されていく。
【００３８】
プリペイドカード３１の先端が突出部１４（段部１３）の位置まで来ると、その先端は傾斜面１４ａに案内されて突出部１４（段部１３）を通過する。突出部１４（段部１３）を通過したプリペイドカード３１は、カード搬送手段６を構成する搬送ローラ７とパッドローラ８によりカード搬送路１１内に取り込まれ搬送される。そして、カード搬送手段６でプリペイドカード３１を搬送させながら、磁気ヘッド３と磁気バーコードヘッド４とにより磁気情報の再生等を処理が行われる。処理が終了したプリペイドカード３１は、カード搬送手段６により搬送され、突出部１４を通過してカード挿入口１０側に排出される。排出されたプリペイドカード３１は、ユーザにより挿入口１０から引き抜かれる。
【００３９】
（本形態の効果）
以上説明したように、本形態のカードリーダ１では、カード搬送路１１へ向かって非接触ＩＣカード３２が通過できない段部１３に形成された傾斜面１４ａに非接触ＩＣカード３２を当接させてカード挿入部１２で停止させ、その状態でリーダ側送受信アンテナ部５と情報の送受信を行うことができる。すなわち、非接触ＩＣカード３２をカード搬送手段６で搬送させることなく、情報の送受信を行うことができる。そのため、検出手段や、減速手段等といった非接触ＩＣカード３２を所定の精度で停止させるための手段が不要になる。
【００４０】
一方、プリペイドカード３１は、カード搬送路１１に向かって段部１３を通過できるため、カード搬送手段６によりカード搬送路１１内に取り込まれる。そのため、プリペイドカード３１を搬送させながらカード搬送路１１に配置された磁気再生記録手段２により磁気情報の再生記録を行うことができる。
【００４１】
本形態では、段部１３には、プリペイドカード３１をカード搬送路１１へ案内するとともに非接触ＩＣカード３２の端部が当接する傾斜面１４ａが形成されている。そのため、非接触ＩＣカード３２を段部１３で確実に停止させつつ、プリペイドカード３２の先端を傾斜面１４ａによってカード搬送路１１へ確実に案内することができる。
【００４２】
本形態では、段部１３は、カードの幅方向の一部分でカードの厚み方向に凸設された突出部１４と、カード挿入部１２の内壁面を構成する上壁面１２ａあるいは下壁面１２ｂとにより形成されている。そのため、カード搬送路１１の上壁面１１ａと下壁面１１ｂとの間隙を例えば、高さＨ２ではなく高さＨ１とすることができる。従って、カード搬送路１１におけるプリペイドカード３１の搬送時におけるプリペイドカード３１と上壁面１１ａあるいは下壁面１１ｂとの摺接を確実に防止することができる。その結果、プリペイドカード３１の搬送負荷を確実に低減することが可能になる。特に本形態では、突出部１４は、カード幅方向の一部に形成されていることから、カード幅方向の全部で形成されている場合に比べ、更にプリペイドカード３１の搬送負荷を低減することができる。
【００４３】
また、本形態では、カード挿入部１２の規制壁面１２ｅは、カード挿入部１２の挿入方向の略中央部までしか形成されていないため、プリペイドカード３１及び非接触ＩＣカード３２の挿入時における規制機能を確保しつつ、プリペイドカード３１の搬送負荷の低減を図ることができる。
【００４４】
（他の実施の形態）
上述した形態は、本発明の好適な形態の一例ではあるが、これに限定されるものではなく本発明の要旨を変更しない範囲において種々変形可能である。例えば、上述した形態においては、非接触ＩＣカード３２がカード挿入口１０からカードリーダ１内部に挿入され、その先端を傾斜面１４ａに当接させた状態で非接触ＩＣカード３２とリーダ側送受信アンテナ部５との間で情報の送受信が行われたが、非接触ＩＣカード３２とリーダ側送受信アンテナ部５との通信状態はこれに限定されない。
【００４５】
すなわち、非接触ＩＣカード３２をカードリーダ１の表面に接触または近接させて停止させた状態で、非接触ＩＣカード３２とリーダ側送受信アンテナ部５との通信を行うことも可能である。例えば、図６に示されるように、リーダ側送受信アンテナ部５を適切な位置に配置することで、非接触ＩＣカード３２をカードリーダ１の上面に接触させた状態で非接触ＩＣカード３２とリーダ側送受信アンテナ部５との通信を行うことも可能である。また、リーダ側送受信アンテナ部５の配置位置によっては、カードリーダ１の側面、前面あるいは下面に非接触ＩＣカード３２を接触または近接させ停止させた状態で非接触ＩＣカード３２とリーダ側送受信アンテナ部５との通信を行うことも可能である。尚、図６に示すようにリーダ側送受信アンテナ部５をカード挿入部１２の上部に配置し、かつリーダ側送受信アンテナ部５を、非接触ＩＣカード３２が傾斜面１４ａに当接した状態及びカードリーダ１の上面に接触した状態で通信可能な位置に配置することで、非接触ＩＣカード３２をカードリーダ１に挿入した状態及び挿入しない状態の両状態でリーダ側送受信アンテナ部５との通信が可能なカードリーダ１を提供することが可能になる。
【００４６】
また、図７に示すように、段部１３は、カード搬送路１１の上壁面１１ａとカード挿入部１２の上壁面１２ａとにより、または、下壁面１１ｂと下壁面１２ｂとに形成してもよい。この場合には、非接触ＩＣカード３２がカード搬送路１１に向かって通過できないようにするため、カード搬送路１１の上壁面１１ａと下壁面１１ｂとの間隙を例えば高さＨ２と同じ寸法にしなければならない。この場合には、プリペイドカード３１の搬送負荷が増えることになるため、上述した形態の方がプリペイドカード３１の搬送負荷を低減する上では好ましい。
【００４７】
さらに、非接触ＩＣカード３２をカードリーダ１の上面に接触させた状態で非接触ＩＣカード３２とリーダ側送受信アンテナ部５との通信を行う構成を採用し、非接触ＩＣカード３２をカードリーダ１の装置内部に挿入しない場合には、図８に示すように、カード挿入部１２を設けずに、幅Ｗ２、高さＨ２の寸法でカード挿入口１０から延在するカード搬送路１１を形成してもよい。
【００４８】
さらにまた、上述した形態では、非接触ＩＣカード３２よりもカード幅が広いプリペイドカード３１を用いたが、プリペイドカード３１の幅が非接触ＩＣカード３２の幅以下であっても、上記の形態と同様の効果を得ることができる。尚、この場合には、磁気記録再生手段２に対してプリペイドカード３１を適切に搬送させるため、カード挿入口１０、カード挿入部１２及びカード搬送路１１には、プリペイドカード３１をカードの幅方向に付勢するカード寄せ部材を設けることが好ましい。
【図面の簡単な説明】
【００４９】
【図１】本発明の実施の形態に係るカードリーダの概略構成を示す平面図である。
【図２】図１に示すカードリーダのカード挿入部及びカード搬送路を示す側面断面図である。
【図３】図１に示すカードリーダを挿入口側からみた正面図である。
【図４】非接触ＩＣカードの処理動作を説明する説明図である。
【図５】プリペイドカードの処理動作を説明する説明図である。
【図６】本発明の他の実施の形態に係るカードリーダのカード挿入部及びカード搬送路を示す側面断面図である。
【図７】本発明の更に他の実施の形態に係るカードリーダのカード挿入部及びカード搬送路を示す側面断面図である。
【図８】本発明の更に他の実施の形態に係るカードリーダのカード挿入部及びカード搬送路を示す側面断面図である。
【符号の説明】
【００５０】
１  カードリーダ
２  磁気記録再生手段
３  磁気ヘッド
４  磁気バーコードヘッド
５  リーダ側送受信アンテナ部（リーダ側送受信手段）
６  カード搬送手段
１０  カード挿入口
１１  カード搬送路
１２  カード挿入部
１２ａ  上壁面（内壁面）
１２ｂ  下壁面（内壁面）
１３  段部
１４  突出部
１４ａ  傾斜面
３１  プリペイドカード
３２  非接触ＩＣカード
【図１】
2005196375.tif 000003
【図２】
2005196375.tif 000004
【図３】
2005196375.tif 000005
【図４】
2005196375.tif 000006
【図５】
2005196375.tif 000007
【図６】
2005196375.tif 000008
【図７】
2005196375.tif 000009
【図８】
2005196375.tif 000010